(57)【要約】  電子デバイスは、第１面及び第２面を有する筐体と、第２面上の誘電体カバー（６０２）と、第１面及び第２面の端部に沿った導電性の周辺構造体とを備える。アンテナフィード（６０１）は、周辺構造体の部分（６０３）を放射アンテナ素子として使用するための部分（６０３）に結合される。導電性部材（６０４、８０４）は、誘電体カバー（６０２）上又は下に配置される。導電性部材の目的は、電場が分布する表面積を大きくして、放射用のアンテナ開口を増大することである。
2021515445.tif 000002
【特許請求の範囲】
【請求項１】
第１面及び第２面を有する筐体と、
前記第２面上の誘電体カバーと、
前記第１面及び前記第２面の端部に沿った導電性の周辺構造体と、
前記周辺構造体の部分を放射アンテナ素子として使用するための前記部分に結合されたアンテナフィードと、
前記誘電体カバー上又は下の導電性部材であり、前記導電性部材は、前記部分の長手方向に沿って第１寸法を有し、前記周辺構造体を参照して、前記部分から内向きに第２寸法だけ延び、前記第２寸法は、前記第１寸法の２倍未満である、導電性部材と、
前記部分と前記導電性部材の前記部分の前記長手方向に沿って延在するその部品との間の電気結合と、
を備える電子デバイス。
【請求項２】
前記誘電体カバーは、誘電体板であり、
前記導電性部材は、前記誘電体板により機械的に支持される、
請求項１に記載の電子デバイス。
【請求項３】
前記誘電体板は、プラスチック、ガラス、セラミック、木材、又は他の誘電体材料から成り、内面及び外面を有し、
前記導電性部材は、前記誘電体板の前記内面に固定して取り付けられる１個の導電性材料である、
請求項２に記載の電子デバイス。
【請求項４】
前記誘電体板は、透明又は半透明であり、前記内面上に装飾層を含み、
前記導電性部材は、前記装飾層に取り付けられることを介して、前記誘電体板に間接的に取り付けられる、
請求項３に記載の電子デバイス。
【請求項５】
前記電子デバイスは、前記誘電体カバーの下に誘電体支持構造体を含み、
前記導電性部材は、前記誘電体支持構造体により機械的に支持される、
請求項１に記載の電子デバイス。
【請求項６】
前記電気結合は、
前記部分及び前記導電性部材の間の直接接触と、
前記部分及び前記導電性部材の間の導電ガスケットを介した結合と、
前記部分及び前記導電性部材と間の２又はそれより多くの別個の接触部材を介した結合と、
前記部分と前記導電性部材の間の溶接、はんだ、又は接着剤接合と、
のうちの少なくとも１つを含むガルバニック結合である、
請求項１から５のいずれか一項に記載の電子デバイス。
【請求項７】
前記電気結合は、容量結合、誘導結合のうちの少なくとも１つを含む非ガルバニック結合である、請求項１から５のいずれか一項に記載の電子デバイス。
【請求項８】
前記非ガルバニック結合のクロスオーバー周波数は、１０から１００メガヘルツのオーダー内である、請求項７に記載の電子デバイス。
【請求項９】
前記部分は、以下のモノポールアンテナ、ダイポールアンテナ、折り畳ダイポールアンテナ、容量結合要素アンテナ、逆Ｆ型アンテナ、ループアンテナ、スロットアンテナのうちの１つであるアンテナ構造体の放射アンテナ素子を構成する、請求項１から８のいずれか一項に記載の電子デバイス。
【発明の詳細な説明】
【技術分野】
【０００１】
本発明は、無線通信に対して使用されるアンテナの分野に関し、特に導電性フレームを用いて作られる電子デバイス内の狭いスペースに篏合するアンテナに関する。さらに、発明は、複数のアンテナを備えるアンテナ装置及びアンテナ又はアンテナ装置を備える電子デバイスに関する。
【背景技術】
【０００２】
アンテナは、電波を使用して通信するすべての電子デバイスにおいて必要とされる。多くのそのようなデバイスは、ポータブルで、容易に使用可能で、複数のユーザに対して美的に魅力的であると想定される。結果として、それらのサイズ、設計、全体的な外観、機械的堅牢性、及び無線通信における効率は、アンテナ設計に困難であり、場合によっては相互に矛盾する要件をもたらし得る。
【０００３】
そのような電子デバイスの１つの例は、スマートフォン、タブレットコンピュータ、又はラップトップコンピュータのようなポータブル通信及び／又はコンピューティングデバイスである。そのようなデバイスは、比較的平坦で幾分細長い形状であり、２つの端部、２つの側端、並びに前面及び裏面を有してよい。前面の大部分は、ほとんどの場合に、タッチ感応式ディスプレイのためにほとんど確保される。裏面は、プラスチックから成る背面カバーによってカバーされてよいが、多くのケース内では、裏面は、ガラス及び／又は金属の層を備える。前記の端部及び側端に沿った周囲は、金属フレームを備えてもよい。デバイスは、たった数ミリメートル厚でもよく、端部及び側端は、数センチメートルから数デシメートルのサイズを取ってよい。アンテナの物理的な寸法は、通信の波長に対する特定の関連を有し、これは、アンテナが６ＧＨｚより下の波長で通信に使用される予定の場合、数センチメートルのオーダー内の物理的な寸法を有さなければならないことを意味する。一方で効率的通信及び高いデータスループットを可能にするであろうが、他方でポータブル通信デバイス内に容易に篏合するであろうように、そのサイズのアンテナを設計するのは困難である。
【０００４】
従来技術は、電子デバイスの金属、そうでなければ導電性構造部品を使用してよい様々なアンテナ構造体を提案する。しかし、アンテナ性能は、電子デバイスが動作すべき必要な周波数範囲の全体及び／又はすべての周波数帯に亘って常に最適ではないことが分かっている。
【発明の概要】
【０００５】
発明の目的は、コンパクトなサイズ、ポータブル電子デバイスに適用可能、多くの種類の動作条件に対して堅牢、及び電子デバイス内に含まれる他のアンテナと結合可能なアンテナを提供することである。発明の別の目的は、アンテナが、他の部品及び電子デバイスの構造体の間の閉鎖空間内に実装されることができること、さらに良好な性能を有することである。発明のさらに別の目的は、前記の種類の少なくとも１つのアンテナを含む電子デバイスを提供することである。
【０００６】
前述の目的その他の目的は、独立請求項の特徴により実現される。さらなる実装形式及び利点は、従属請求項、説明及び図面から明らかである。
【０００７】
第１の態様によれば、電子デバイスが設けられる。電子デバイスは、第１面及び第２面を有する筐体と、第２面上の誘電体カバーと、第１面及び第２面の端部に沿った導電性の周辺構造体とを備える。電子デバイスは、周辺構造体の一部を放射アンテナ素子として使用するための部分に結合されたアンテナフィードも備える。さらに、電子デバイスは、誘電体カバー上の導電性部材（例えば、誘電体カバーの内面又は外面上に取り付けられる）を備える。代替的に、導電性部材は、（例えば、筐体の内側のさらなる支持構造体上の）誘電体カバーの下に配置されてよい。導電性部材は、部分の長手方向に沿って第１寸法を有し、周辺構造体を参照して、部分から内向きに第２寸法だけ延び、第２寸法は、第１寸法の２倍未満である。電子デバイスは、部分と導電性部材の部分の長手方向に沿って延在するその部品との間の電気結合を備える。導電性部材は、アンテナエクステンダを形成し、従って、アンテナエクステンダと呼ばれることもできる。導電性部材、すなわちアンテナエクステンダの目的は、電場が分布する表面積を大きくすることである。言い換えれば、アンテナエクステンダは、放射用のアンテナ開口を増大する。所望の周波数帯（複数可）でのシャーシモードの励起を改善するであろう。アンテナエクステンダは、１）放射効率を改善する、２）共振周波数を調整する、３）インピーダンス帯域幅を増大する、４）電流分布及び放射パターンを修正して、例えばユーザの効果を制御するために使用されることができる。
【０００８】
より大きなアンテナクリアランス（すなわち、放射アンテナ素子及び接地の間のより大きな距離）を要求することなくアンテナのインピーダンス帯域幅及び効率を改善するので、アンテナエクステンダは、特に、ほとんどスペースのないポータブル電子デバイス内にコンパクトなサイズのアンテナを作成することを可能にする。アンテナの性能が許容限界を下回るであろう前に、それらはより多くの限界を提供するので、インピーダンス帯域幅及び効率の改善は、準最適動作条件に対する堅牢性も増大する。アンテナエクステンダは、そうでなければ同一デバイス内の他のアンテナに必要であろうそのようなスペースを保有しない。これは、他のアンテナと非常に互換性がある解決手段を作成する。アンテナ、さらに、電子デバイスの他の部品といくつかの構造体を共有してよい。これは、さらに、閉鎖空間のその適合性を強調する。
【０００９】
電子デバイスの第１実装形式では、誘電体カバーは、誘電体板であり、導電性部材は、誘電体板により機械的に支持される。これは、機械的構造が堅牢で比較的製造容易になることができるという利点を含む。導電性部材と、ディスプレイのような電気デバイスの接地部品と、の間の距離は、可能な限り大きくなることができるという利点も含まれる。これは、インピーダンス帯域幅及び効率を改善する。
【００１０】
電子デバイスのさらなる実装形式では、誘電体板は、プラスチック、ガラス、セラミック、木材、又は他の誘電体材料から成り、内面及び外面を有し、導電性部材は、誘電体板の内面に固定して取り付けられる１個の導電性材料である。これは、デバイスの外観が非常に魅力的になることができる、機械的構造が堅牢で比較的製造容易になることができるという利点を含む。
【００１１】
電子デバイスのさらなる実装形式では、誘電体板は、透明又は半透明であり、内面上に装飾層を含み、導電性部材は、装飾層に取り付けられることを介して、誘電体板の内面に間接的に取り付けられる。これは、たとえこの種類の導電性部材がアンテナエクステンダとして使用される場合でも、デバイスの有利な外観が損なわれる必要がないという利点を含む。
【００１２】
電子デバイスのさらなる実装形式では、電子デバイスは、誘電体カバーの内側に誘電体支持構造体を含み、導電性部材は、誘電体支持構造体により機械的に支持される。これは、アンテナエクステンダの設計及び機械的構造が、特に、動作周波数及び他の影響因子に従って十分に適応されることができる、及び／又は電子デバイスの内側のいくつかの誘電体部品が、アンテナエクステンダの支持構造体として効率的に兼用できるという利点を含む。
【００１３】
電子デバイスのさらなる実装形式では、電気結合は、部分及び導電性部材の間の直接接触と、部分及び導電性部材の間の導電ガスケットを介した結合と、部分及び導電性部材と間の２又はそれより多くの別個の接触部材を介した結合と、部分と導電性部材の間の溶接、はんだ、又は接着剤接合と、のうちの少なくとも１つを含むガルバニック結合である。これは、安全な電気結合が、周囲の構造体内の部品及び材料に関する多種多様な代替において行われることができる利点を含む。
【００１４】
電子デバイスのさらなる実装形式では、電気結合は、容量結合、誘導結合のうちの少なくとも１つを含む非ガルバニック結合である。これは、特定の部品間で直接接触が行われる必要がないという利点を含み、これにより、構造体の設計及び組み立てが容易になり、準最適な接触が原因となり得た任意の問題を回避するのに役立つ。
【００１５】
電子デバイスのさらなる実装形式では、非ガルバニック結合のクロスオーバー周波数は、１０から１００メガヘルツのオーダー内である。これは、十分な電磁接続が、アンテナ構造体の他の寸法で有用な周波数で行われることができるという利点を含む。
【００１６】
電子デバイスのさらなる実装形式では、部分は、以下のモノポールアンテナ、ダイポールアンテナ、折り畳ダイポールアンテナ、容量結合要素アンテナ、逆Ｆ型アンテナ、ループアンテナ、スロットアンテナのうちの１つであるアンテナ構造体の放射アンテナ素子を構成する。これは、最も好適なアンテナタイプが、特定の実装に対して選択されることができるという利点を含む。
【図面の簡単な説明】
【００１７】
【図１】ＣＣＥアンテナを示す。
【図２】逆Ｆ型アンテナを示す。
【図３】モノポール又は逆Ｌ型アンテナを示す。
【図４】電子デバイスの特定の構造部品を示す。
【図５】図４の構造体の断面図を示す。
【図６】電子デバイスのいくつかの構造部品をアンテナエクステンダとともに示す。
【図７】図６の構造体の断面図を示す。
【図８】電子デバイスのいくつかの構造部品をアンテナエクステンダとともに示す。
【図９】図８の構造体の断面図を示す。
【図１０】アンテナエクステンダの寸法を示す。
【図１１】別のアンテナエクステンダの寸法を示す。
【図１２】アンテナエクステンダの等価回路を示す。
【図１３】アンテナエクステンダを接触部材とともに示す。
【図１４】アンテナエクステンダの形の例を示す。
【図１５】電子デバイスのいくつかの構造部品をアンテナエクステンダとともに示す。
【図１６】アンテナエクステンダを備える及び備えないアンテナの測定性能を示す。
【発明を実施するための形態】
【００１８】
電子デバイスは、外側カバー内に包囲される内部部品を備えてよい。典型的に、内部部品又はシャーシは、電子デバイスの動作に必要とされる電子コンポーネントを備えるが、外側カバーの役割は、機械的支持及び保護とともに魅力的な外観を提供することである。電子デバイスが無線通信を装備する場合、１又は複数のアンテナが組み込まれていなければならない。構造体の一部及び多くの洗練されたスマートフォンの外観を構成するいわゆるリング又は外側フレームのような導電性の周辺構造体を設けることは、導電性の周辺構造体の１又は複数のセクションを放射アンテナ素子として使用することを可能にする。確立された用語によれば、放射アンテナ素子は、高周波の振動電流が無線信号を伝送するために結合される、及び／又は受信された無線信号が、順に受信信号に変換されることができる高周波の振動電流を誘導する構造部品である。
【００１９】
図１、図２、及び図３は、導電性の周辺構造体の一部であってよい内部部品又はシャーシ１０１及び放射アンテナ素子を備える電子デバイスを示す。それが比較的包括的なグランドプレーンを備えることは、内部部品又はシャーシ１０１にとって典型的であり、そのため、それは、放射アンテナ素子の性能に効果を有する接地領域と考えられてよい。
【００２０】
図１では、放射アンテナ素子１０２は、導電性の周辺構造体の直線部分であり、その全長は、内部部品又はシャーシ１０１の直線縁部から距離１０３に配置される。アンテナフィード１０４は、放射アンテナ素子１０２の中間点に又はその近くにある。これら（アンテナ素子が直線であること、アンテナフィードが中間に近いこと）のいずれも、厳格な要件ではなく、変更が可能である。図１のアンテナは、ＣＣＥ（容量結合素子）アンテナと呼ばれることができる。
【００２１】
図２では、そうでなければ、放射アンテナ素子２０１は、内部部品又はシャーシ１０１の直線縁部から距離２０２に配置されるが、放射アンテナ素子２０１の一端には、内部部品（のグランドプレーン）又はシャーシ１０１への直接接触がある。この種類の接地接点は、アンテナ素子２０１の長さに沿った任意の箇所に配置されることができる。図２では、アンテナフィード２０３は、その自由端より接点を有する放射アンテナ素子１０２の端部に近い。再度、すべてのこれらの特徴への変更が可能である。図２のアンテナは、ＩＦＡ（逆Ｆ型アンテナ）である。
【００２２】
図３では、放射アンテナ素子３０１は、内部部品又はシャーシ１０１の直線縁部から距離３０２に配置される。アンテナフィード３０３は、アンテナをモノポール又はＩＬＡ（逆Ｌ型アンテナ）にする放射アンテナ素子３０１の一端に配置される。
【００２３】
図４及び図５は、上の図１の原理に従ってよい構造体のさらなる例示である。放射アンテナ素子１０２は、電子デバイスの導電性の周辺構造体の一部である。内部部品又はシャーシ１０１は、その一部が図４及び図５に示される厚いスラブとして簡略化された方法で示される。第１の誘電体カバー４０１は、電子デバイスの第１面（前面）をカバーし、第２誘電体カバー４０２は、電子デバイスの第２面（背面）をカバーする。組み立てられた構成では、第１及び第２誘電体カバー４０１、４０２の少し内向きに湾曲した外縁が、放射アンテナ素子１０２内のそれぞれの溝に行き当たるので、それにより、電子デバイスの流線形の外観が実現される。
【００２４】
放射アンテナ素子が隣接する接地構造体から配置される距離１０３、２０２、又は３０２は、グランドクリアランス又はアンテナクリアランスと呼ばれることができる。グランドクリアランスの最適な大きさは、動作周波数及び帯域幅に依存する。スマートフォン及び他の広く使用されている無線通信デバイスにおいて共通である６ＧＨｚより小さい動作周波数に関する一般的な規則として、５から１０ミリメートルのグランドクリアランスが最適に近い可能性がある。しかし、（タッチ感応式）ディスプレイを備えた電子デバイスの全側面、例えば前面をカバーすることが望ましくてよい。ディスプレイは、関連するグランドプレーンを必要とし、このグランドプレーンは、図１から図３内の内部部品又はシャーシ１０１として考えられるものの有効な外部寸法を画定してよい。結果として、１から２ミリメートルと小さいもの、又はさらに小さいものがグランドクリアランスとして利用可能であってよい。
【００２５】
図６は、本発明の実施形態に係る電子デバイスのいくつかの部品を分解図で示す。図７は、アンテナフィード６０１を通る平面に沿ったこれらの部品の断面図である。電子デバイスは、第１面及び第２面を有する筐体を備える。第１面は、図６及び図７内の下面であり、第２面は、上面である。電子デバイスは、第２面上の誘電体カバー６０２と、第１面及び第２面の端部に沿った導電性の周辺構造体とを備える。導電性の周辺構造体の部分６０３は、図６及び図７に見られる。アンテナフィード６０１は、導電性の周辺構造体の部分６０３を放射アンテナ素子として使用するための部分６０３に結合される。
【００２６】
図４及び図５との差として、図６及び図７の電子デバイスは、誘電体カバー６０２によりカバーされその上に配置される導電性部材６０４を備える。この例では、導電性部材６０４は、誘電体カバー６０２の内側（内面）上に配置される。しかし、さらなる実施形態では、導電性部材６０４は、誘電体カバー６０２の外側（外面）上に配置されてよい。導電性部材６０４は、放射アンテナ素子として使用される導電性の周辺構造体の部分６０３の長手方向に沿った第１寸法６０５を有する。導電性部材６０４は、部分６０３から第２寸法６０６だけ内向きに延在する。ここで、「内向き」は電子デバイスの周辺構造体を参照して内向きとして定義される。言い換えれば、「内向き」は、電子デバイスの中心に向かうことを意味する。
【００２７】
導電性部材６０４の寸法のうち、第２寸法６０６は、第１寸法６０５の２倍より小さい。これらの寸法の重要性は、後でより詳細に説明されるであろう。導電性部材６０４は、代替的に、アンテナエクステンダと呼ばれることができる。この文書では、導電性部材及びアンテナエクステンダなる表現は、同義語として使用される。
【００２８】
電気結合は、放射アンテナ素子として使用される導電性の周辺構造体の部分６０３と、部分の長手方向に沿って延在する導電性部材６０４のその部品と、の間に存在する。図６及び図７の構造体では、導電性部材６０４の１つの長い端部が、部分６０３の一部と直接機械的に接触し、電気結合を保証する。そのような電気結合を作成する他の方式は、後でより詳細に説明される。
【００２９】
図６及び図７の構造体では、誘電体カバー６０２は、誘電体板であり、導電性部材６０４は、誘電体板により機械的に支持される。特に、誘電体カバー６０２を構成する誘電体板は、例えばプラスチック又はガラスから成ることができ、内面及び外面を有してよい。導電性部材６０４は、例えば接着剤により又は超音波溶接により誘電体カバー６０２の内面に固定して取り付けられてよい。導電性部材６０４は、誘電体カバー６０２の材料に埋め込まれるような他の方式で取り付けられることもできる。取り付けの実際の方法は、ほとんど実用的に重要でない。この種類の固定取り付けは、導電性部材６０４が１個の金属箔又はプレートのような１個の導電性材料であるという前提に基づく。代替案は、誘電体カバー６０２に取り付けられる前に、導電性材料の別個の固体片の形式ではない導電性塗料又は他の物質を使用して、誘電体カバー６０２のいくつかの表面上に導電性部材６０４を形成することであろう。
【００３０】
誘電体カバー６０２を導電性部材６０４に対する機械的支持として使用することは、他の構造部品がその目的に必要とされないという利点を含む。導電性部材６０４は最初に誘電体カバー６０２の内面に取り付けられてよく、それにより後の組立て段階で誘電体カバー６０２及び導電性の周辺構造体がともにもたらされる場合に、導電性部材６０４と放射アンテナ素子として使用される部分６０３との間の電気結合が自動的に行われるので、それは電子デバイスの容易な組立てを可能にしてもよい。導電性ガスケットが、電気結合を保証するために使用されることができるが、これは必ずしも必要ではない。プラスチック、ガラス、セラミック、木材、又は他の誘電材料の誘電体カバー６０２の材料としての使用は、妥当なレベルの製造コストで電子デバイスの非常に魅力的な外観を実現することを可能にしてよい。材料としてのプラスチックは、導電性部材６０４を誘電体カバー６０２に固定して取り付けるために、プラスチック物質のいくつかを部分的に溶融することに基づく超音波溶接、成形、又は他の公知の方法が利用可能であるという追加の利点を含む。
【００３１】
図８及び図９は、第１面及び第２面並びに第２面上に誘電体カバー６０２を有する筐体を備えるさらなる実施形態に係る電子デバイスの部品を示す。電子デバイスは、第１面及び第２面の端部に沿った導電性の周辺構造体、及び部分６０３を放射アンテナ素子として使用するための周辺構造体の部分６０３に結合するアンテナフィード６０１を備える。
【００３２】
図８及び図９の電子デバイスは、誘電体カバー６０２によりカバーされその下に配置される導電性部材８０４を備える。特に、電子デバイスは、誘電体カバー６０２の下に誘電体支持構造体８０１を含み、導電性部材８０４は、誘電体支持構造体８０１により機械的に支持される。従って、この実施形態では、導電性部材８０４は、誘電体カバー６０２上ではなく、誘電体カバー６０２の下に配置された別個の誘電体支持構造体８０１上に配置される。誘電体支持構造体８０１は、バッテリコンパートメントの壁、高周波部品の導電性遮蔽缶、スピーカーボックスなどのような、電子デバイスの任意の他の部品の一部であってもよい（またはそれによって順に支持されてもよい）。
【００３３】
導電性部材８０４は、電子デバイスの周辺構造体の上記部分６０３の長手方向に沿った第１寸法６０５を有する。導電性部材８０４は、第２寸法６０６だけ部分６０３から内向きに延在し、それにより、再度「内向き」方向は、周辺構造体を参照して理解される。第２寸法６０６は、第１寸法６０５の２倍より小さい。周辺構造体の部分６０３と導電性部材８０４の部分の長手方向に沿って延在するその部品との間の電気結合がある。
【００３４】
図８及び図９の実施形態では、電気結合は、周辺構造体の部分６０３と、部分の長手方向に沿って延在する導電性部材８０４のその部品との間に配置される弾性の導電性ガスケット９０１を備える。この種類の導電性ガスケットは、図６及び図７の実施形態において、任意の他の実施形態においても使用されることができる。導電性ガスケット９０１は、接着剤によって、又はそれを溝などに係止することによって、又は適切に保持することと電気結合を作成することの両方を保証する任意の他の手段によって、適切に保持されよい。所望の電気結合を作成するための他の代替案は、はんだ付け、溶接、又は導電性接着剤による接着のうちの少なくとも１つを含んでよい。
【００３５】
図１０及び図１１は、導電性部材の寸法の概念を示す。図１０及び図１１では、放射アンテナ素子として使用される導電性周辺構造体の部分６０３は、水平バーとして概略的に示される。図１０及び図１１は、部分６０３の一端に接地接続がある実施形態を示すが、そのような接地接続がない実施形態もある。導電性部材の第１寸法６０５は、部分６０３の長手方向に沿ったその寸法である。導電性部材は、部分から第２寸法６０６だけ（周辺構造体を参照して）内向きに延在する。図１０では、第２寸法６０６は、第１寸法６０５の約２倍であるが、図１１では、第１寸法６０５は、第２寸法６０６より十分に大きい。図１０及び図１１のように接地接続がある場合、導電性の周辺構造体の一部の長手方向における接地接続からのその距離が可能な限り最大になるように導電性部材を配置することが有利であってよい。
【００３６】
図１２は、点１２０１が放射アンテナ素子を表し、点１２０２が上記の種類の導電性部材を表す等価回路を示す。点１２０３は、導電性部材の「開放」端、すなわち放射アンテナ素子から最も遠く離れたその部品を表す。点１２０３と局所接地電位との間のいわゆる開放端インピーダンスＺは、典型的に、少なくとも１００オーム、又はさらには少なくとも１キロオームのオーダーで大きい。
【００３７】
放射アンテナ素子及び導電性部材の間の電気結合は、図１２の接触部材１２０４によって表される。一般的に、電気結合は、誘電率（又は比誘電率）がεｒ（ε下付きｒ）である材料を介して、距離ｄに亘って面積Aで起こると考えられてよい。電気結合は、例えば金属間の直接接触を介した直接ガルバニック結合である場合、εｒの値は非常に大きい又は無限である。
【００３８】
図１３は、図１２の素子がどれだけ実際問題として考えられてよいかを示す。接触部材１２０４は、放射アンテナ素子として使用される導電性周辺構造体の部分６０３と、図１３で参照指定子６０４が使用される導電性部材との間に配置される。 これは単なる例であり、図６の実施形態の導電性部材６０４と同様のこれらの種類の導電性部材のみに考察を限定することを意味するものではない。面積Ａは、部分６０３の長手方向の導電性部材６０４の寸法に比例する。電気接続の長手方向に沿って分布された２又はそれより多くの別個の導電ガスケットのように、部分と導電性部材との間に２又はそれより多くの別個の接触部材がある場合、面積Aは互いから最も遠く離れた２つの別個の接触部材の間の距離に比例する。
【００３９】
電気結合が、非ガルバニック結合である場合、容量結合又は誘導結合のうちの少なくとも１つを備えてよい。例示的な計算が、容量結合に対して行われることができる。例えば、接触面積Ａが１．５ｍｍ×１２ｍｍであり、距離ｄは０．１ｍｍであり、その間の材料が空気である場合、接触容量は約１．７ｐＦであろう。開放端インピーダンスが１ｋΩであると仮定すると、それは約９０ＭＨｚのクロスオーバー周波数に対応するであろう。これは、放射アンテナ素子及び導電性部材の間の十分な電磁結合が９０ＭＨｚより高い周波数で実現されることを意味する。一般的に、前記の種類の非ガルバニック結合のクロスオーバー周波数は、１０から１００メガヘルツのオーダーであってよい。
【００４０】
これまでに説明した実施形態では、アンテナエクステンダ又は導電性部材は、長方形の形状を有する。これは要件ではないが、導電性部材は多種多様な形状を取ってよい。図１４は、様々な長方形、４より少ない又はそれより多くの角を有する多角形、ひし形、台形、いくつかのその他の規則的な形状から一部を切断することにより得られる形状、部分的に丸い又は湾曲した形状、及び不規則な形状を含むそのような形状のいくつかの例を示す。形状は、例えば、電子デバイス内のアンテナエクステンダのための利用可能なスペースの形状に基づいて選択されてよい。図１４の形状における小さい白い円は、別個の接触部材の例として考えられてよく、又はそれらは、導電性部材及び放射アンテナ素子として使用される導電性の周辺構造体の一部との間の溶接、はんだ、又は接着剤接合の例であってよい。
【００４１】
図１５は、電子デバイスの第２面上の誘電体カバー６０２が透明又は半透明の誘電体板を含み、その内面に装飾層１５０１を含む実施形態を示す。導電性部材６０４は、装飾層１５０１への取り付けを介して誘電体板に間接的に取り付けられる。導電ガスケット９０１は、導電性部材６０４と、放射アンテナ素子として使用される導電性の周辺構造体の部分６０３と、の間の電気結合を保証する。
【００４２】
さらに別の可能な実施形態は、電子デバイスの第２面上の誘電体カバー（の一部）を構成する誘電体板の外面上の透明な導電層として作製された導電性部材を含むことができる。
【００４３】
図１６は、電子デバイスがアンテナを含み、その放射アンテナ素子が電子デバイスの側面に沿った導電性の周辺構造体の一部であるシステムの測定された合計効率を示す。それぞれのケースにおいて、実線は、説明した種類のアンテナエクステンダが使用されなかった場合の測定された合計効率を示す。対応する破線は、説明した種類のアンテナエクステンダが使用された場合の測定された合計効率を示す。アンテナエクステンダが使用された場合、システムのピーク合計効率の一般的な改善は１ｄＢのオーダーであった。これは、いわゆるシャーシモードの励起が改善され、アンテナの共振周波数が所望の周波数帯に最適化された結果であると考えられる。これらの測定結果では、長方形のアンテナエクステンダが使用され、アンテナエクステンダの寸法は、放射アンテナ素子の長手方向のその寸法が垂直方向のその寸法の約２倍になるようにした。
【００４４】
アンテナ構造体の放射アンテナ素子のタイプの選択は、発明により限定されない。例として、アンテナ構造体は、以下のモノポールアンテナ、ダイポールアンテナ、折り畳みダイポールアンテナ、容量結合要素アンテナ、逆Ｆ型アンテナ、ループアンテナ、スロットアンテナのうちの１つであってよい。
【００４５】
本発明は、本明細書の様々な実施形態と組み合わせて説明されている。しかし、開示された実施形態に対する他の変更は、図面、開示、及び添付の特許請求の範囲の研究から、特許請求された発明を実施する際に当業者によって理解及び実行されることができる。説明及び特許請求の範囲において、用語「備える」は、他の要素及び段階を排除しない。不定冠詞「ａ」または「ａｎ」は、複数を排除しない。単一のプロセッサ又は他のユニットが、特許請求の範囲に記載されている複数の事項の機能を満たしてよい。特定の測定値が相互に異なる従属請求項に記載されているという単なる事実は、これらの測定値の組み合わせが有利に使用されることができないことを示さない。
【００４６】
本発明及びその利点が詳細に説明されたが、添付の特許請求の範囲で定義されるように本発明の主旨及び範囲から逸脱することなく、本明細書で様々な変更、置換、及び代替が行われることができることが理解されるべきである。
【００４７】
本発明は、特定の特徴及びそれらの実施形態に関連して説明されているが、本発明の主旨及び範囲から逸脱することなく、様々な変形及び組み合わせを行うことができることは明らかである。従って、本明細書及び図面は、添付の特許請求の範囲によって定義される本発明の単なる例示と見なされるべきであり、本発明の範囲内に含まれる任意のすべての変形、組み合わせ、又は均等物を網羅すると想定される。
【図１】
2021515445.tif 000003
【図２】
2021515445.tif 000004
【図３】
2021515445.tif 000005
【図４】
2021515445.tif 000006
【図５】
2021515445.tif 000007
【図６】
2021515445.tif 000008
【図７】
2021515445.tif 000009
【図８】
2021515445.tif 000010
【図９】
2021515445.tif 000011
【図１０】
2021515445.tif 000012
【図１１】
2021515445.tif 000013
【図１２】
2021515445.tif 000014
【図１３】
2021515445.tif 000015
【図１４】
2021515445.tif 000016
【図１５】
2021515445.tif 000017
【図１６】
2021515445.tif 000018
【国際調査報告】
2021515445.tif 000019
2021515445.tif 000020